(57)【要約】【課題】動画像同士の合成を行う撮像システムにおいて、従来、実時間映像と合成素材映像の合成・記録を行うには撮像装置と再生装置と記録装置が必要であるという課題があった。【解決手段】記憶部１０５への合成結果映像の書き込み期間と、記憶部１０５からの合成用素材映像の読み出し期間を短縮して時分割多重することで、見かけ上読み書き同時動作とする書込読出制御部１０４を設け、単体の撮像記録装置で実時間映像と動画素材との合成を可能とする。【選択図】  図１
2004248139.tif 000002
【特許請求の範囲】
【請求項１】
実時間映像信号を生成する撮像部と、
映像信号を記憶する記憶部と、
前記記憶部に対する映像信号の書き込み記録と読み出し再生を制御する書込読出制御部と、
前記撮像部から出力される前記実時間映像信号と前記記憶部から読み出し再生される合成素材信号を合成して合成結果信号を生成する合成部と、
前記合成部から出力される前記合成結果信号を表示する表示部とを備え、
前記記憶部に書き込み記録される映像信号は前記合成結果信号であり、
前記合成結果信号の前記記憶部への書き込み記録と前記合成素材信号の前記記憶部からの読み出し再生をおよそ同時に並行して行う、
ことを特徴とする撮像記録装置。
【請求項２】
前記記憶部に記憶される前記合成素材信号および前記合成結果信号が圧縮形式であり、
前記書込読出制御部において書き込み記録時にデータ圧縮処理、読み出し再生時にデータ伸長処理を行う、
ことを特徴とする請求項１記載の撮像記録装置。
【請求項３】
前記記憶部がランダムアクセス可能な記憶媒体である、
ことを特徴とする請求項１または２記載の撮像記録装置。
【請求項４】
前記撮像部からの前記実時間映像信号を前記記憶部に記憶したものを前記合成素材信号として利用する、
ことを特徴とする請求項１から３記載の撮像記録装置。
【請求項５】
ＣＧ画像を前記記憶部に記憶したものを前記合成素材信号として利用する、
ことを特徴とする請求項１から３記載の撮像記録装置。
【請求項６】
前記合成部における合成手法がクロマキー合成である、
ことを特徴とする請求項４または５記載の撮像記録装置。
【請求項７】
ＣＧ画像と前記ＣＧ画像のアルファチャネル画像を前記記憶部に記憶しておいたものを前記合成素材信号として利用し、前記合成部における合成手法がアルファブレンディングである、
ことを特徴とする請求項５記載の撮像記録装置。
【発明の詳細な説明】
【０００１】
【発明の属する技術分野】
本発明は実時間映像と予め用意した合成用映像を合成記録可能な撮像記録装置に関するものである。
【０００２】
【従来の技術】
従来の画像合成を行う撮像装置としては、撮像を行う撮像部と、合成用の素材を再生する記憶部と、これらを合成する合成部から構成されるものがあった（例えば、特許文献１参照）。図５は、前記特許文献１に記載された従来の画像合成を行う撮像装置を示すものである。
【０００３】
図５において光学レンズ２０１、撮像部２０２によって撮像された実時間画像と、記憶部２０５に予め用意しておいた合成用画像が合成部２０３で合成され、合成結果画像として表示部２０６に表示される。
【０００４】
このような構成とすることで、実時間画像と、予め用意しておいたＣＧ画像などの合成用画像との合成結果をカメラを操作するユーザが容易に確認でき、合成結果を確認しながら撮影を行うことができる。
【０００５】
【特許文献１】
特開２０００−２７０２６１号公報（第２−第５頁、図１）
【０００６】
【発明が解決しようとする課題】
しかしながら、前記従来の構成では、記憶部２０５は主に合成用素材としての画像を記憶するためのものであり、実時間画像との合成の結果得られた合成画像は表示するだけか、あるいは記録のためには別の記録装置を用いることが必要である、という課題を有していた。
【０００７】
本発明は、従来の課題を解決するもので、単一の記憶部を備えた単体機器で実時間画像と予め用意された動画像との合成を可能とした撮像記録装置を提供することを目的とする。
【０００８】
【課題を解決するための手段】
この課題を解決するために、本発明は、実時間映像信号を生成する撮像部と、映像信号を記憶する記憶部と、前記記憶部に対する映像信号の書き込み記録と読み出し再生を制御する書込読出制御部と、前記撮像部から出力される前記実時間映像信号と前記記憶部から読み出し再生される合成素材信号を合成する合成部と、前記合成部からの出力を表示する表示部とを備えたものである。
【０００９】
前記記憶部に書き込み記録される映像信号は前記合成部から出力される合成結果信号である。
【００１０】
前記合成結果信号の前記記憶部への書き込み記録と前記合成素材信号の前記記憶部からの読み出し再生はおよそ同時に並行して行われる。つまり、書き込み記録において前記合成結果信号に対して時間軸圧縮あるいはデータ圧縮処理を行って、前記記憶部への書き込み記録時間を撮影実時間より短縮し、読み出し再生においては逆に時間軸伸長あるいはデータ伸長処理を行って前記合成素材信号とする。換言すれば、実時間映像信号、合成素材信号、合成結果信号は実時間長で撮影・合成されるが、ある撮影時間に対応する映像素材の記憶部への書き込み記録と読み出し再生にかかる時間の合計は、撮影時間よりも短い時間とする。
【００１１】
なお、前記表示部に表示される合成結果信号を見ながら、これに演技・動作を合わせて実時間映像を撮影することが可能である。
【００１２】
また、前記合成部において、前記実時間映像信号に前記合成素材信号を合成せず、そのまま出力することで、合成による映像効果を付加しない前記実時間映像信号そのものを前記記憶部に記憶することもできる。
【００１３】
【発明の実施の形態】
以下、本発明の実施の形態について、図１から図４を用いて説明する。
【００１４】
（実施の形態１）
図１は本発明の撮像記録装置の一実施例を示し、図１において１００は撮像記録装置であり、１０１は光学レンズ、１０２は撮像部、１０３は合成部、１０４は書込読出制御部、１０５は記憶部、１０６は表示部である。
【００１５】
以上のように構成された撮像記録装置について、以下、その動作を述べる。
【００１６】
光学レンズ１０１を通して撮像部１０２に結像した映像は実時間映像信号として出力され、書込読出制御部１０４によって記憶部１０５から読み出された合成素材信号と合成部１０３で合成される。合成部１０３から出力される合成結果信号は表示部１０６に表示されると共に、書込読出制御部１０４を通して記憶部１０５に書き込まれる。表示部１０６に表示される映像によって、撮影者は合成結果を確認しながら撮影することができ、表示されている映像と同じ内容の映像が記憶部１０５に記録される。
【００１７】
図２は各部の信号を示すタイミングチャートである。（ａ）は実時間映像信号、（ｂ）は合成素材信号、（ｃ）は合成結果信号、（ｄ）は記憶部書込信号、（ｅ）は記憶部読出信号である。
【００１８】
実時間映像信号（ａ）と合成素材信号（ｂ）は合成部１０３でクロマキー合成され、合成結果信号（ｃ）となる。図３はクロマキー合成機能を備えた合成部１０３で行う合成処理の説明図である。合成素材信号（ｂ）中の斜線領域が該当するクロマ領域だとすると、この領域内の映像だけを実時間映像信号（ａ）に置き換えることで合成結果信号（ｃ）が得られる。このようにして得られた合成結果信号（ｃ）は書込読出制御部１０４でデータ圧縮処理が施され、記憶部書込信号（ｄ）に変換されて記憶部１０５に記憶される。つまり、データ圧縮処理によって記憶するデータ量を削減し、対応する実時間映像より短時間で記憶部１０５への書き込み記録を行う。一方、記憶部１０５への書き込み記録が行われていない期間に記憶部読出信号（ｅ）の読み出し再生を行い、記憶部読出信号（ｅ）は書込読出制御部１０４でデータ伸長処理が施され、実時間スケールの合成素材信号（ｂ）に変換されて合成部１０３に入力される。
【００１９】
このようにして記憶部１０５に対する映像データの書き込み記録動作と読み出し再生動作を時分割多重することで、一台の記憶部、具体的には半導体メモリやＨＤＤ（ハードディスクドライブ）、書き換え型ＤＶＤなどのランダムアクセス可能な記憶媒体で、見かけ上記録と再生を同時に行うことができる。これによって、一台の撮像記録装置で、予め記憶部に記憶しておいた合成用素材と実時間映像との合成を実時間で行いながら記録できる。
【００２０】
なお、合成結果信号（ｃ）から記憶部書込信号（ｄ）への変換と、記憶部読出信号（ｅ）から合成素材信号（ｂ）への変換の目的は時間軸の変換であり、データレートの高速化や、データ圧縮によるデータ量の削減によって行うが、これは記憶部１０５の記憶容量やデータ転送能力に合わせて手法を選べばよい。つまり、記憶部１０５の記憶容量が十分大きく、データ転送能力も十分高い場合には、データ圧縮・伸長処理を行わず、単なる時間軸圧縮・伸長処理だけを行ってもよい。
【００２１】
（実施の形態２）
本発明の撮像記録装置の実施の形態２の一実施例を示す図は実施の形態１と同じく図１であり、各部の信号を示すタイミングチャートも同じく図２であり、信号の流れもほぼ同様である。
【００２２】
以下、その動作の異なる部分である合成部１０３の動作を中心に述べる。
【００２３】
合成部１０３では実時間映像信号（ａ）と合成素材信号（ｂ）に対してアルファチャネル情報を利用した合成（アルファブレンディング）を行って合成結果信号（ｃ）を得る。アルファブレンディングとは、画素毎に用意された混合の比率を表すアルファチャネル情報に基づいて画像を合成する手法であり、単純な加算混合や、透明物体の透過に似せた乗算を用いた混合などの総称である。図４はアルファチャネル情報による合成機能を備えた合成部１０３で行われる合成処理の説明図である。合成素材信号（ｂ）中の斜線領域に所定の透過率を表すアルファチャネル情報が定義されているとすると、この領域内の映像に対して実時間映像信号（ａ）を所定の比率で混合することで合成結果信号（ｃ）が得られる。このようにして得られた合成結果信号（ｃ）は、実施の形態１と同様、書込読出制御部１０４でデータ圧縮処理が施され、記憶部書込信号（ｄ）に変換されて記憶部１０５に記憶される。
【００２４】
本実施の形態２では特に、合成素材信号（ｂ）として予めＣＧ（２次元、３次元、アニメ）で作成しておいた動画像にアルファチャネル情報を付加したものを使う点が実施の形態１と異なる。つまり、高精度な映像合成が可能であり、さらに合成素材信号（ｂ）として静止画ではなく動画像を使用することができるため、高い演出効果が得られる。
【００２５】
なお、記憶部１０５を撮像記録装置１００から着脱可能な可搬型の記憶装置としたり、コンピュータＩ／Ｆを備えて外部のコンピュータなどから記憶部１０５の内容を書き替え可能とすることで、様々な合成素材信号が利用可能である。
【００２６】
【発明の効果】
以上のように本発明によれば、動画像による画像の合成と記録を撮像記録装置単体で、実時間で確認しながら行うことが出来るという顕著な効果が得られる。
【図面の簡単な説明】
【図１】本発明の一実施例の形態による撮像記録装置を示すブロック図
【図２】実施の形態の撮像記録装置の動作を示すタイミングチャート
【図３】実施の形態１による実時間映像信号と合成素材信号の合成を示す説明図
【図４】実施の形態２による実時間映像信号と合成素材信号の合成を示す説明図
【図５】従来の画像合成機能を備えた撮像装置を示すブロック図
【符号の説明】
１００  撮像記録装置
１０１  光学レンズ
１０２  撮像部
１０３  合成部
１０４  書込読出制御部
１０５  記憶部
１０６  表示部
２００  撮像記録装置
２０１  光学レンズ
２０２  撮像部
２０３  合成部
２０５  記憶部
２０６  表示部
【図１】
2004248139.tif 000003
【図２】
2004248139.tif 000004
【図３】
2004248139.tif 000005
【図４】
2004248139.tif 000006
【図５】
2004248139.tif 000007